(57)【要約】【課題】  扉のばたつきと、扉の吸着状態を解除するときにおける衝撃と、を抑制することができ、且つ構造が簡素な扉ロック機構を提供する。【解決手段】  開閉自在な扉を有する筐体に設けられる扉ロック機構であって、扉１に配置され、磁力によって吸着される複数の被吸着部材６及び７と、扉１が筐体に対して閉じられた状態で扉１の被吸着部材６及び７と接触し、被吸着部材６及び７を吸着する磁力を持つ複数の吸着手段８及び９と、扉１が閉じられた状態での被吸着部材６及び７を吸着手段８及び９から離間させて被吸着部材６及び７と吸着手段８及び９との吸着状態を解除する吸着解除手段１４と、を備える。吸着解除手段１４が、複数の被吸着部材６及び７を各吸着手段８及び９から時間差をおいて離間させる構成となっている。【選択図】図８
2011231508.tif 000002
【特許請求の範囲】
【請求項１】
開閉自在な扉を有する筐体に設けられる扉ロック機構であって、
前記扉に配置され、磁力によって吸着される複数の被吸着部材と、
前記扉が前記筐体に対して閉じられた状態で当該扉の前記各被吸着部材と接触し、前記各被吸着部材を吸着する前記磁力を持つ複数の吸着手段と、
前記扉が閉じられた状態での前記各被吸着部材を前記吸着手段から離間させて前記各被吸着部材と前記各吸着手段との吸着状態を解除する吸着解除手段と、を備えており、
前記吸着解除手段が、前記複数の被吸着部材を前記各吸着手段から時間差をおいて離間させる構成となっていることを特徴とする扉ロック機構。
【請求項２】
前記吸着解除手段が、ある操作開始位置から所定の方向に移動することによって前記複数の被吸着部材を時間差をおいて離間動作させる駆動プレートを備えていることを特徴とする請求項１に記載の扉ロック機構。
【請求項３】
前記駆動プレートは、前記操作開始位置から前記所定の方向に移動したときに前記被吸着部材に当接して前記被吸着部材を前記吸着手段から離間させるように配設された複数の突起を、前記各被吸着部材に対応して有しており、
前記駆動プレートが前記操作開始位置に位置している状態で、前記各突起と対応する前記各被吸着部材との距離がそれぞれ異なっていることを特徴とする請求項２に記載の扉ロック機構。
【請求項４】
前記各被吸着部材は、前記各吸着手段と接触する部位が軸周りに回動させられるように軸を中心に回動自在に支持されており、
前記各突起が前記各被吸着部材に接触しながら前記所定の方向に移動して前記各被吸着部材を回動させることにより、前記部位を前記各吸着手段から離間させることを特徴とする請求項３に記載の扉ロック機構。
【請求項５】
前記駆動プレートは、操作者が前記駆動プレートを移動させるための操作部を備えており、前記操作部より遠い前記被吸着部材の側から離間動作させることを特徴とする請求項３又は４に記載の扉ロック機構。
【請求項６】
請求項１乃至５のいずれか１項に記載の扉ロック機構と、
前記扉ロック機構が設けられた開閉自在な扉を有する筐体と、
前記筐体の内部に配置され、被記録媒体に対して記録動作を行う記録部と、を備えた記録装置。
【請求項７】
前記記録部は、インクジェット記録方式の記録手段を有することを特徴とする請求項６に記載の記録装置。
【発明の詳細な説明】
【技術分野】
【０００１】
本発明は、インクジェット記録方式等を用いた記録装置の筐体に設けられた扉の扉ロック機構に関する。
【背景技術】
【０００２】
従来の記録装置において、記録装置の内部のメンテナンスを行うことができるように、開閉可能に設けられた扉を備えているものがある。一般的に、記録装置の扉の構成として、扉の一の端部に回転ヒンジが設けられ、該一の端部と対向する他の端部に扉を閉じた状態に保持するための扉ロック機構が配設されている。
【０００３】
扉ロック機構として、メカ機構によるものやソレノイドを用いたものなどのほかに、マグネットキャッチを用いた扉ロック機構が知られている。マグネットキャッチを用いた扉ロック機構は、安価であるだけでなく、簡素な構成で扉を所定の位置に確実に保持することができる。
【０００４】
マグネットキャッチを用いた扉ロック機構では、記録装置本体にマグネットなどの磁力を持つ吸着手段が固定され、該吸着手段の磁力によって吸着される被吸着手段が扉に配設されている。吸着手段の磁力により被吸着部材が記録装置本体に吸着され、扉を閉じた状態に保つことができる。扉を開くときには、吸着手段の磁力よりも大きい力を加えることによって吸着手段と被吸着部材とを離間し、吸着手段による扉の保持を解除する。
【０００５】
記録装置では、印字品位の低下抑制のため、外部からの衝撃が記録装置に伝播しないことが望まれる。特に近年では、作業効率の向上から、印字を行いながらメンテナンスを行う場合があるため、扉の開閉による衝撃で印字品位が低下する虞がある。
【０００６】
マグネットキャッチを用いた扉ロック機構では、吸着手段の吸着状態を解除するときに衝撃が発生することがある。そのため、吸着状態の解除時の衝撃を出来るだけ小さくすることが要求されている。扉ロック機構に用いられる吸着手段の個数を減らしたり、吸着手段単体の磁力を弱めたりすることで扉の開閉時における衝撃を弱めることができるが、吸着力の低下により扉がばたつきやすくなる。さらに、扉が大きくなるにつれて、吸着手段が設けられていない位置で扉がばたつきやすくなる。
【０００７】
扉のばたつきは、記録装置の密閉機能が低下するだけでなく、外観品位も損なうことがしばしばあった。ばたつきが大きい場合には、ばたつきの衝撃により印字品位が低下する。そのため、ばたつきが抑制されると共に、扉の吸着状態を解除するときにおける衝撃が緩和される、マグネットキャッチを用いた扉ロック機構が提案されている。
【０００８】
特許文献１では、回転ヒンジが設けられている端部と対向する端部の一部にマグネットキャッチを配設し、該端部のうちの残りの領域では扉を記録装置本体側に撓ませたものが開示されている。扉の撓みによって、扉と記録装置本体との間で反力が作用するため、マグネットキャッチがなくても扉のばたつきが抑制される。また、マグネットキャッチも該端部の一部のみに設けられ、吸着手段の個数を増やす必要がないため、扉の吸着状態の解除時における記録装置本体への衝撃が増加することも無い。
【０００９】
特許文献２では、吸着手段の磁力を弱める機構を新たに設けた扉ロック機構が開示されている。吸着手段の磁力を弱める具体的な機構は、吸着手段の、被吸着部材が吸着される位置とは異なる位置に強磁性体を接触させるものである。吸着手段に強磁性体を接触させることによって、吸着手段の磁束が被吸着部材と強磁性体とに分散され、吸着手段と被吸着部材との間の吸着力を弱めることができる。
【００１０】
特許文献２で開示されている扉ロック機構を用いる場合、複数の吸着手段及び被吸着部材を配設することによって、扉のばたつきを抑制することができる。また、扉の吸着状態を解除するときには強磁性体を吸着手段に接触させ、吸着手段と被吸着部材との間の吸着力を弱めることで衝撃を緩和することができる。
【先行技術文献】
【特許文献】
【００１１】
【特許文献１】実開平７−３１７５号公報
【特許文献２】実開平５−９０９１１号公報
【発明の概要】
【発明が解決しようとする課題】
【００１２】
しかしながら、特許文献１に開示されている扉ロック機構では、扉の撓みが不足している場合や、扉の強度が低い場合にはばたつきを抑制することができないことがある。また、より強い吸着力を必要とする場合にはより強い磁力を有する吸着手段を用いなければならないため、結果的に扉の吸着状態の解除時により強い衝撃が発生しやすい。
【００１３】
特許文献２に開示されている扉ロック機構では、強磁性体を吸着手段に接触させたり引き離したりするための機構を別途設けなければならないため、構造が複雑になる虞がある。また、複数の吸着手段及び被吸着部材を備える場合、強磁性体を移動させる機構を操作する回数も増え、手間がかかる虞がある。
【００１４】
そこで、本発明は、上記課題の認識に基づいてなされたものである。すなわち、本発明の目的は、扉のばたつきと、扉の吸着状態を解除するときにおける衝撃と、を抑制することができ、且つ構造が簡素な扉ロック機構を提供するものである。
【課題を解決するための手段】
【００１５】
上記目的を達成するために、本発明は、開閉自在な扉を有する筐体に設けられる扉ロック機構であって、扉に配置され、磁力によって吸着される複数の被吸着部材と、扉が筐体に対して閉じられた状態で当該扉の各被吸着部材と接触し、各被吸着部材を吸着する磁力を持つ複数の吸着手段と、扉が閉じられた状態での各被吸着部材を吸着手段から離間させて各被吸着部材と各吸着手段との吸着状態を解除する吸着解除手段と、を備える。吸着解除手段が、複数の被吸着部材を各吸着手段から時間差をおいて離間させる構成となっていることを特徴とする。
【発明の効果】
【００１６】
本発明によれば、扉のばたつきと、扉の吸着状態を解除するときにおける衝撃とを抑制することができ、且つ構造が簡素な扉ロック機構が提供される。
【図面の簡単な説明】
【００１７】
【図１】本発明の実施形態における記録装置の外観を示す概略図。
【図２】扉を開いたときの記録装置の概略図。
【図３】扉が閉じられたときに記録装置の側から見たときの扉の斜視図。
【図４】図３に示すカバー部材を取り外した状態の斜視図。
【図５】本発明の実施形態における扉ロック機構の斜視図。
【図６】図５に示すＡ部の拡大斜視図。
【図７】図５に示すＢ部の拡大斜視図。
【図８】本発明の実施形態における扉ロック機構の動作を説明する模式図。
【図９】操作部を第１の角度だけ傾けたときの扉ロック機構の模式図。
【図１０】操作部を第２の角度だけ傾けたときの扉ロック機構の模式図。
【図１１】操作部を第３の角度だけ傾けたときの扉ロック機構の模式図。
【発明を実施するための形態】
【００１８】
以下、本発明の実施形態における扉ロック機構及び該ロック機構を備えた記録装置について、図面に基づいて詳細に説明する。
【００１９】
本実施形態における記録装置は、ロール状に巻かれた連続シートを使用し、片面プリント及び両面プリントの両方に対応した高速ラインプリンタである。このような高速ラインプリンタは、例えば、プリントラボ等の大量枚数をプリントする分野に適している。
【００２０】
図１は、本発明の実施形態における記録装置の外観を示す概略図である。図１に示すように、記録装置の筐体には、開閉自在な扉１、２、３及び４が配設されている。各々の扉１〜４の内側には、連続シートを搬送し、連続シートに印字せしめる駆動ユニット（不図示）が格納されている。操作者は、紙詰まりの除去作業や駆動ユニットのメンテナンスを行うときに扉１〜４を開け閉めする。
【００２１】
また、記録装置には操作モニター５が設けられており、操作モニター５に各種の動作状況やアラームが表示される。操作モニター５は、操作者が各種の操作を行えるように、タッチパネル式の表示装置で構成されていてもよい。
【００２２】
図２は、扉１を開いたときの記録装置の概略図である。
【００２３】
図２に示すように、扉１の一の端部には回転ヒンジ（不図示）が設けられ、扉１と記録装置の筐体とが該回転ヒンジを介して連結されている。また、扉１には、回転ヒンジが設けられた一の端部と対向する位置にある他の端部に沿って、磁力によって吸着される被吸着部材６及び７が配置されている。
【００２４】
扉１が閉じられたときに被吸着部材６及び７が接触する記録装置本体の位置には、被吸着部材６及び７を吸着する磁力をもつ吸着手段８及び９が配設されている。本実施形態では、吸着手段８及び９としてマグネットを用いている。
【００２５】
また、扉４の内側（鎖線で囲まれた領域）には、被記録媒体に対して記録動作を行うための記録部１０が配置されている。
【００２６】
本実施形態においては、扉１及び扉２は、記録装置の印字中においても開閉可能な構成になっている。扉３及び扉４は不図示の電磁式の扉ロック機構により記録装置の起動中には開閉できない構成となっており、操作者は所定の操作を実行して記録装置を停止させてから扉３及び扉４の開閉を行う。
【００２７】
図３は、扉１が閉じられたときに記録装置本体の側から見たときの扉１の斜視図である。図３に示すように、被吸着部材６と被吸着部材７との間には、カバー部材１１及び１２が設けられている。
【００２８】
図４は、図３に示す扉１の、カバー部材１１及び１２を取り外したときの斜視図である。図４に示すように、被吸着部材６と被吸着部材７との間には、被吸着部材６及び７を支持するための支持プレート１３と、支持プレート１３に保持された吸着解除手段１４と、が設けられている。
【００２９】
吸着解除手段１４は、扉１が閉じられた状態での被吸着部材６及び７を吸着手段８及び９から離間させて被吸着部材６及び７と吸着手段８及び９との吸着状態を解除することができる。本実施形態では、吸着解除手段１４は、ある操作開始位置から所定の方向ｘに移動することによって被吸着部材６及び７と吸着手段８及び９との吸着状態を解除することができるようになっている。
【００３０】
本実施形態における扉１の扉ロック機構は、被吸着部材６及び７と、吸着手段８及び９と、支持プレート１３と、吸着解除手段１４と、を有する。
【００３１】
ここで、本実施形態における扉ロック機構について、図５から図７を用いて詳述する。図５は、支持プレート１３によって支持されている部材の斜視図であり、本実施形態における扉ロック機構を示すものである。
【００３２】
図５に示すように、扉ロック機構には、吸着解除手段１４を所定の方向ｘに移動させるための操作部１５が取り付けられている。本実施形態では、操作者が操作部１５をリンク図に示す白抜き矢印θの方向に向けて傾けることにより、吸着解除手段１４が所定の方向ｘにむかって移動する。
【００３３】
なお、図５は、操作者が操作部１５を傾けていない状態を示す図である。したがって、被吸着部材６及び７が吸着手段８及び９に吸着されている。
【００３４】
図６は、図５に示す扉ロック機構における被吸着部材６の周辺（図に示すＡ部）の拡大斜視図である。図６に示すように、被吸着部材７は、吸着手段９と接触する部位が軸周りに回動させられるように軸１６を中心に回動自在に支持されている。軸１６は、支持プレート１３と一体に形成された被吸着部材支持部１７に支持されている。
【００３５】
ここで、吸着解除手段１４について詳述する。本実施形態では、吸着解除手段１４は、所定の方向ｘに移動可能に支持プレート１３に支持された駆動プレート１８と、駆動プレート１８から被吸着部材７に向かって突出するように形成された突起１９と、を有している。突起１９は、駆動プレート１８が操作開始位置から所定の方向ｘに向かって移動したときに被吸着部材７に当接するように配設されている。
【００３６】
本実施形態では、駆動プレート１８が操作開始位置にある状態では、突起１９は、所定の方向ｘに沿って距離Ｚ２だけ被吸着部材７から離れて設けられている。
【００３７】
したがって、駆動プレート１８を所定の方向ｘに向かって距離Ｚ２以上移動させた場合、被吸着部材７と突起１９とが当接し、被吸着部材７が軸１６中心に回転し、被吸着部材７の吸着手段９と接触する部位が軸周りに回動させられる。その結果、被吸着部材７と吸着手段９とが離間され、吸着状態が解除される。なお、このときの被吸着部材７の回転方向をβ（図に示す白抜き矢印）とする。
【００３８】
被吸着部材７の、吸着手段９と当接する箇所以外は吸着手段９に吸着されにくい材料で形成しておくことにより、被吸着部材７が回転したときの被吸着部材７と吸着手段９との間の吸着力をより弱くすることができる。また、被吸着部材７の、吸着手段９と接触する箇所を突出して設けておくことによっても、該吸着力をより弱くすることができる。
【００３９】
被吸着部材７の軸１６が設けられている位置と異なる位置に、弾性部材２０の一端が係合されている。弾性部材２０の他端は、被吸着部材支持部１７の軸１６が設けられている位置と異なる位置に係合されている。弾性部材２０は、被吸着部材７に、回転方向βと反対側の方向にモーメントを付勢するように設けられている。
【００４０】
したがって、駆動プレート１８が元の位置に戻ったときには、弾性部材２０から付勢されるモーメントにより、被吸着部材７は回転方向βと反対の方向に回動し、元の位置に戻る。被吸着部材支持部１７には、被吸着部材６の回転を規制するストッパー２１が形成されている。被吸着部材７が元の位置に戻ったところでストッパー２１により被吸着部材７の回転方向βと反対の方向への回動は停止する。
【００４１】
操作部１５は、操作部１５の内部に設けられた軸２３を介して支持プレート１３と連結され、操作部１５の一の端部に設けられた軸２４を介して駆動プレート１８と連結されている。操作部１５の、軸２４が設けられている端部と反対側の端部をθの方向に傾けることによって、駆動プレート１８が所定の方向ｘの方向に動かされる。
【００４２】
図７は、図５に示す扉ロック機構における被吸着部材６の周辺（図に示すＢ部）の拡大斜視図である。図７に示すように、被吸着部材６もまた被吸着部材支持部１７に軸１６を介して回動可能に保持されている。
【００４３】
また、駆動プレート１８に被吸着部材６と吸着手段８との吸着状態を解除するための突起２２が形成されている。すなわち、被吸着部材６と吸着手段８との吸着状態を解除する吸着解除手段１４は、駆動プレート１８と突起２２とで構成される。
【００４４】
突起２２による被吸着部材６と吸着手段８との間における吸着状態の解除のメカニズムについては、前述の突起１９による被吸着部材７と吸着手段９との間における吸着状態の解除と同じため、説明は省略する。なお、突起２２によって被吸着部材６が回転せられる方向を回転方向αとする。
【００４５】
駆動プレート１８が操作開始位置にある状態では、突起２２は、所定の方向ｘに沿って距離Ｚ１だけ被吸着部材６から離れるように設設けられており距離Ｚ１と距離Ｚ２との関係が、
【００４６】
【数１】
2011231508.tif 000003
【００４７】
を満たすように構成されている。
【００４８】
したがって、駆動プレート１８は、操作開始位置から所定の方向ｘに移動することによって、被吸着部材６及び７の吸着手段８及び９からの離間動作を、時間差をおいて行わせることができる。
【００４９】
次に、本実施形態における扉ロック機構の動作について、図８から図１１を用いて説明する。図８から図１１は、本実施形態における扉ロック機構の動作を説明するための模式図である。図８に示す状態は、操作部１５が傾けられていない状態（初期状態と称する）であり、駆動プレート１８が操作開始位置にある状態である。したがって、初期状態では、扉１を閉めることによって、被吸着部材６及び７が吸着手段８及び９に吸着され、扉１が記録装置に吸着固定される。
【００５０】
操作部１５を、初期状態からθの方向に傾けると、駆動プレート１８が、所定の方向ｘに向かって移動する。その結果、突起１９及び２２も所定の方向ｘに向かって移動する。
【００５１】
図９は、操作部１５を、初期状態から第１の角度θ１だけ傾けたときの扉ロック機構の模式図である。このとき、駆動プレート１８は、操作開始位置から所定の方向ｘに向かって距離Ｚ１だけ移動するものとする。
【００５２】
図９に示すように、突起１９が初期状態から距離Ｚ１だけ移動することによって、突起２２が被吸着部材６に当接する。突起１９と被吸着部材７とは、数１の関係があるため、接触しない。
【００５３】
図１０は、初期状態から第２の角度θ２（第２の角度θ２は第１の角度θ１よりも大きいとする）だけ操作部１５を傾けたときの扉ロック機構の模式図である。このとき、駆動プレート１８は、操作開始位置から所定の方向ｘに向かって距離Ｚ２だけ移動するものとする。
【００５４】
図１０に示すように、突起２２は被吸着部材６を矢印αの方向へ回動せしめ、被吸着部材６を吸着手段８から離間させ、被吸着部材６と吸着手段８との吸着状態を解除する。また、突起１９は、被吸着部材７に当接する。
【００５５】
図１１は、初期状態から第３の角度θ３（第３の角度θ３は第２の角度θ２よりも大きいとする）まで操作部１５を傾けたときの扉ロック機構の模式図である。このとき、駆動プレート１８は、操作開始位置から所定の方向ｘに向かって距離Ｚ３（距離Ｚ３は距離Ｚ２よりも大きい）だけ移動するものとする。
【００５６】
図１１に示すように、突起２２は被吸着部材６を図１０に示す状態からさらに回動せしめる。また、突起１９は被吸着部材７を回転方向βに向かって回動せしめ、被吸着部材７を吸着手段９から離間させ、被吸着部材７と吸着手段９との吸着状態を解除する。
【００５７】
被吸着部材６及び７が吸着手段８及び９から離間された結果、扉１の記録装置への吸着固定が解除され、扉１を開くことができる。
【００５８】
以上説明したように、被吸着部材７と吸着手段９との間の吸着状態が、被吸着部材６と吸着手段８との間の吸着状態から時間差をおいて解除される。したがって、吸着手段８及び９の吸着状態を同時に解除する場合に比べて、小さい力で吸着手段８及び９の吸着状態を解除することができる。その結果、扉１の吸着固定を解除するときの衝撃をより小さくすることができる。
【００５９】
本実施形態では、扉１が閉じられているときには、複数配設された吸着手段８及び９によって吸着固定されているため、扉１のばたつきが抑制される。その結果、扉１のばたつきによる衝撃が緩和される。
【００６０】
また、操作部１５は、支持プレート１３を介して扉１に設けられており、扉１を開くときに生じる扉１の振動を操作者の手で吸収することができる。その結果、記録部１０に伝わる扉１を開く際の振動を抑制することができる。
【００６１】
さらに、複数の吸着手段の吸着状態を順に解除する場合、最後に解除される吸着手段の衝撃が最も大きくなりやすい。本実施形態では、操作部１５より遠い被吸着部材６の側から離間動作させているため、最も大きな衝撃を操作者の手により吸収しやすくなっている。吸着手段が３つ以上のときでも、操作部１５に最も近い位置に配設された吸着手段の吸着状態の解除を最後に行うようにすればよい。
【００６２】
以上の説明では、吸着手段としてマグネットを用いたものを説明したが、吸着手段が電磁石などの、扉の閉状態を維持できるものであれば同様の効果が得られる。また、吸着手段の吸着状態の解除方法も、被吸着部材を回動させるものに限られない。例えば、被吸着部材を平行移動させるものや、吸着手段に用いられているマグネットに異なるマグネットを、ＮＳ極を逆にして並列接続させ、吸着磁力を弱める作用のある公知の手段も適用可能である。
【００６３】
本発明における扉ロック機構は、振動の影響が顕著に現れる、被記録媒体と記録部とが非接触であるインクジェット記録方式の記録手段を有する記録装置の筐体に設けられた扉に特に好適である。
【符号の説明】
【００６４】
１      扉
６      被吸着部材
７      被吸着部材
８      吸着手段
９      吸着手段
１４    吸着解除手段
１８    駆動プレート
１９    突起
２２    突起
【図１】
2011231508.tif 000004
【図２】
2011231508.tif 000005
【図３】
2011231508.tif 000006
【図４】
2011231508.tif 000007
【図５】
2011231508.tif 000008
【図６】
2011231508.tif 000009
【図７】
2011231508.tif 000010
【図８】
2011231508.tif 000011
【図９】
2011231508.tif 000012
【図１０】
2011231508.tif 000013
【図１１】
2011231508.tif 000014